(57)【要約】【課題】ブラシ片が凍結する事が無く、かつ水分を完全に乾燥できる自動車用洗浄ブラシを提供する。【解決手段】回転軸の外周部に複数のブラシ片が形成されてある自動車用洗浄ブラシにおいて、前記回転軸の一端に空気流入手段が形成されてあると共に、前記回転軸の外周部に前記空気流入手段と連通するように空気流出手段が形成されてあり圧縮空気を前記空気流入手段より流入させる事により、前記圧縮空気を前記空気流出手段より流出させて前記ブラシ片に吹き付け、前記ブラシ片を乾燥させるように形成されてあるものである。【選択図】　　　　　図３
2004113745.tif 000002
【特許請求の範囲】
【請求項１】
回転軸の外周部に複数のブラシ片が形成されてある自動車用洗浄ブラシにおいて、前記回転軸の一端に空気流入手段が形成されてあると共に、前記回転軸の外周部に前記空気流入手段と連通するように空気流出手段が形成されてあり、圧縮空気を前記空気流入手段より流入させる事により、前記圧縮空気を前記空気流出手段より流出させて前記ブラシ片に吹き付け、前記ブラシ片を乾燥させることを特徴とする自動車用洗浄ブラシ。
【請求項２】
請求項１記載の構成よりなる自動車用洗浄ブラシにおいて、前記圧縮空気に、所定温度に設定された温風を使用することを特徴とする自動車用洗浄ブラシ。
【請求項３】
請求項１あるいは２記載の構成よりなる自動車用洗浄ブラシにおいて、前記温風を前記回転軸の回転時に前記空気流入手段より流入させる事により、前記温風を前記空気流出手段より流出させて前記ブラシ片に吹き付け、前記ブラシ片を乾燥させることを特徴とする自動車用洗浄ブラシ。
【発明の詳細な説明】
【０００１】
【発明の属する技術分野】
本発明は、自動車用の洗浄ブラシに関するものである。
【０００２】
【従来の技術】
従来の自動車用洗浄ブラシを、以下図１及び図２を用いて説明する。
【０００３】
図１は、従来の自動車用洗浄ブラシを示す斜視図である。また、図２は、従来の自動車用洗浄ブラシに使用するブラシ片を示す正面図である。図１及び図２において１は洗浄ブラシ、２は回転軸、３はブラシ片、４は支持体、５はスリット、６は円孔、８は固定ピンである。従来の自動車用洗浄ブラシは、図１及び図２の如く、回転軸２にたいして、ブラシ片３を支持体４にて挟み付け、固定ピン８にて固定する構成になっている。ブラシ片３のスリット５は、深浅交互に形成されてあると共に、各スリット５の内端に連なって円孔６が形成されてある。上記の如くの技術が、実用新案登録第３０７１３２６号に開示されてある。
【０００４】
【発明が解決しようとする課題】
しかしながら、従来の自動車用洗浄ブラシにおいては、使用時にブラシ片３に付着した水分を乾燥させる為に、使用後に洗浄ブラシ１を放置して自然乾燥させるか、あるいは洗浄ブラシ１を回転させながら水分を飛散させる方法を採用していた。その為、寒冷地等においては、水分が乾燥するまでに長い時間を必要とし、ブラシ片３が凍結したり、完全に乾燥しきらないという課題を有していた。
【０００５】
本発明は、上記のような課題を解決するためになされたもので、ブラシ片が凍結する事が無く、かつ水分を完全に乾燥できる自動車用洗浄ブラシを提供することを目的としている。
【０００６】
【課題を解決するための手段】
本発明にかかる自動車用洗浄ブラシは、次のように構成したものである。
（１）回転軸の外周部に複数のブラシ片が形成されてある自動車用洗浄ブラシにおいて、前記回転軸の一端に空気流入手段が形成されてあると共に、前記回転軸の外周部に前記空気流入手段と連通するように空気流出手段が形成されてあり圧縮空気を前記空気流入手段より流入させる事により、前記圧縮空気を前記空気流出手段より流出させて前記ブラシ片に吹き付け、前記ブラシ片を乾燥させるように形成されてあるものである。
【０００７】
（２）上記（１）記載の自動車用洗浄ブラシにおいて、前記圧縮空気に、所定温度に設定された温風を使用して形成されてあるものである。
【０００８】
（３）上記（１）あるいは（２）記載の自動車用洗浄ブラシにおいて、前記温風を前記回転軸の回転時に前記空気流入手段より流入させる事により、前記温風を前記空気流出手段より流出させて前記ブラシ片に吹き付け、前記ブラシ片を乾燥させるように形成されてあるものである。
【０００９】
【発明の実施の形態】
実施の形態１
図３及び図４に実施の形態１を示す。図３は、本発明の実施の形態１の自動車用洗浄ブラシを示す斜視図である。図３において、１１は洗浄ブラシ、１２は回転軸、１３はブラシ片、１４は止め金具、１５は流入口、１６は流出口である。また、図４は、図３の自動車用洗浄ブラシの断面図である。
【００１０】
本発明の実施の形態１の洗浄ブラシ１１は、図３の如く、回転軸１２、ブラシ片１３及び止め金具１４より構成されてある。ブラシ片１３は、止め金具１４に装着されて、回転軸１２の外周部に形成された溝部にたいして、勘合挿入されて、複数、形成されてある。回転軸１２は、図４の如く、一端に、流入口１５が形成されてあり、回転軸１２の外周部には、流入口１５と連通するように複数の流出口１６が形成されてある。また、流出口１６は、それぞれのブラシ片１３の間に、複数、並列の状態にて形成されてある。洗浄ブラシ１１は、ブラシ片１３を乾燥させる時には、流入口１５より流入させた圧縮空気を、流出口１６より流出させる事により、ブラシ片１３に吹き付け、ブラシ片１３を乾燥させる。
【００１１】
本発明の実施の形態１の洗浄ブラシは、上記の如くの構成となっている為、圧縮空気をブラシ片１３に吹き付け、ブラシ片１３を完全に乾燥させることができる。またブラシ片１３を乾燥させることができる為、ブラシ片１３の凍結を防止することができる。
【００１２】
本発明の実施の形態１の自動車用洗浄ブラシは、上記の如くの構成となっているが、ブラシ片１３の材料としては、使用する目的に応じて、適時、天然樹脂発泡体、合成樹脂発泡体、織布、不織布、編物、天然繊維、化学繊維、天然樹脂、合成樹脂、天然ゴム、合成ゴム、ゲル材、フィルム材、メッシュ材、ボア材あるいは紙等を使用しても、何ら支障は無い。また、流入口及び流出口の詳細形状、配置状態、個数等についても、使用目的に応じて、適時、設定しても何ら支障は無い。
【００１３】
実施の形態２
図５及び図６にて実施の形態２を示す。図５は、本発明の実施の形態２の自動車用洗浄ブラシを示す斜視図である。図５において、２１は洗浄ブラシ、２２は回転軸、２３はブラシ片、２４は止め金具、２５は流入口、２６は流出口である。また、図６は、図５の自動車用洗浄ブラシの断面図である。
【００１４】
本発明の実施の形態２の洗浄ブラシ２１は、図５の如く、回転軸２２及びブラシ片２３より構成されてある。ブラシ片２３は、回転軸２２の外周部にたいして、螺旋形状に形成されてある。回転軸２２は、図５の如く、一端に、流入口２５が形成されてあり、回転軸２２の外周部には、図５及び図６の如く、流入口２５と連通するように、長手方向にたいして、長円形状の開口を有する複数の流出口２６が形成されてある。その為、流出口２６は、図５の如く、ブラシ片２３の長手方向と直交するように、複数、回転軸２２の円周方向にたいして等分の状態にて形成されてある。洗浄ブラシ２１は、ブラシ片２３を乾燥させる時には、流入口２５より流入させた所定温度に設定された温風の圧縮空気を、流出口２６より流出させる事により、ブラシ片２３に吹き付け、ブラシ片２３を乾燥させる。
【００１５】
本発明の実施の形態２の洗浄ブラシは、上記の如くの構成となっている為、所定温度に設定された温風の圧縮空気をブラシ片２３に吹き付け、ブラシ片２３を完全に乾燥させることができる。また、ブラシ片２３を乾燥させることができる為、ブラシ片２３の凍結を防止することができる。さらにまた、本発明の実施の形態２の洗浄ブラシは、圧縮空気に、所定温度に設定された温風を使用している為、圧縮空気に冷風を使用した場合に比べて、迅速にブラシ片２３を乾燥させることができる。
【００１６】
本発明の実施の形態２の洗浄ブラシは、上記の如くの構成となっているが、ブラシ片２３の材料としては、使用する目的に応じて、適時、天然樹脂発泡体、合成樹脂発泡体、織布、不織布、編物、天然繊維、化学繊維、天然樹脂、合成樹脂、天然ゴム、合成ゴム、ゲル材、フィルム材、メッシュ材、ボア材あるいは紙等を使用しても、何ら支障は無い。また、流入口及び流出口の詳細形状、配置状態、個数等についても、使用目的に応じて、適時、設定しても何ら支障は無い。
【００１７】
実施の形態３
図７にて実施の形態３を示す。図７は、本発明の実施の形態３の自動車用洗浄ブラシの使用状態を示す断面図である。図７において、３１は洗浄ブラシ、３２は回転軸、３３はブラシ片、３５は流入口、３６は流出口、３７は軸受け、３８、３９はフレームである。
【００１８】
本発明の実施の形態３の洗浄ブラシ３１は、図７の如く、回転軸３２及びブラシ片３３より構成されてある。ブラシ片３３は、回転軸３２の外周部にたいして、螺旋形状に形成されてある。回転軸３２は、一端に、流入口３５が形成されてあり、回転軸３２の外周部には、流入口３５と連通するように、複数の流出口３６が形成されてある。また、流出口３６は、ブラシ片３３の長手方向と直交するように、複数、回転軸３２の円周方向にたいして等分の状態にて形成されてある。回転軸３２の両端には、軸受け３７が形成されてあり、軸受け３７を介して、フレーム３８、３９が形成されてある。洗浄ブラシ３１は、ブラシ片３３を乾燥させる時には、回転軸３２を回転させた状態にて、流入口３５より流入させた所定温度に設定された温風の圧縮空気を、流出口３６より流出させる事により、ブラシ片３３に吹き付け、ブラシ片３３を乾燥させる。
【００１９】
本発明の実施の形態３の洗浄ブラシは、上記の如くの構成となっている為、所定温度に設定された温風の圧縮空気をブラシ片３３に吹き付け、ブラシ片３３を完全に乾燥させることができる。また、ブラシ片３３を乾燥させることができる為、ブラシ片３３の凍結を防止することができる。さらにまた、本発明の実施の形態３の洗浄ブラシは、回転軸３２を回転させた状態にて、圧縮空気に、所定温度に設定された温風を使用している為、回転軸を回転させない状態あるいは、圧縮空気に冷風を使用した場合に比べて、迅速にブラシ片３３を乾燥させることができる。
【００２０】
本発明の実施の形態３の洗浄ブラシは、上記の如くの構成となっているが、流出口の形状については、使用する目的に応じて、例えば、回転軸の外周部に、金属製のメッシュ材を円筒形状に形成して、流出口として使用しても、何ら支障は無い。
【００２１】
【発明の効果】
以上の説明から明らかなように、本発明の洗浄ブラシは次に示すような効果を得ることができる。なお、説明にあたっては、請求項の番号と同じ番号を付して説明する。
【００２２】
（１）圧縮空気をブラシ片に吹き付け、ブラシ片を完全に乾燥させることができる。またブラシ片を乾燥させることができる為、ブラシ片の凍結を防止することができる。
【００２３】
（２）所定温度に設定された温風の圧縮空気をブラシ片に吹き付け、ブラシ片を、完全に乾燥させることができる。また、ブラシ片を乾燥させることができる為、ブラシ片の凍結を防止することができる。さらにまた、圧縮空気に、所定温度に設定された温風を使用している為、圧縮空気に、冷風を使用した場合に比べて、迅速にブラシ片を乾燥させることができる。
【００２４】
（３）所定温度に設定された温風の圧縮空気をブラシ片に吹き付け、ブラシ片を、完全に乾燥させることができる。また、ブラシ片を乾燥させることができる為、ブラシ片の凍結を防止することができる。さらにまた、回転軸を回転させた状態にて、圧縮空気に、所定温度に設定された温風を使用している為、回転軸を回転させない状態あるいは、圧縮空気に冷風を使用した場合に比べて、迅速にブラシ片を乾燥させることができる。
【図面の簡単な説明】
【図１】従来の自動車用洗浄ブラシを示す斜視図である。
【図２】従来の自動車用洗浄ブラシに使用するブラシ片を示す正面図である。
【図３】本発明の実施の形態１の自動車用洗浄ブラシを示す斜視図である。
【図４】図３の自動車用洗浄ブラシの断面図である。
【図５】本発明の実施の形態２の自動車用洗浄ブラシを示す斜視図である。
【図６】図５の自動車用洗浄ブラシの断面図である。
【図７】本発明の実施の形態３の自動車用洗浄ブラシの使用状態を示す断面図である。
【符号の説明】
１、１１、２１、３１　洗浄ブラシ　２、１２、２２、３２　回転軸
３、１３、２３、３３　ブラシ片　４　支持体　５　スリット
６　円孔　１４、２４　止め金具　１５、２５、３５　流入口
１６、２６、３６　流出口　３７　軸受け　３８、３９　フレーム
【図１】
2004113745.tif 000003
【図２】
2004113745.tif 000004
【図３】
2004113745.tif 000005
【図４】
2004113745.tif 000006
【図５】
2004113745.tif 000007
【図６】
2004113745.tif 000008
【図７】
2004113745.tif 000009